(57)【要約】【課題】  設置作業における労力の大幅な軽減と設置に伴う作業時間の短縮を図るとともに、泥により汚れてしまうなどの不具合を回避する。【解決手段】  土留機材２０を使用現場Ａに設置する際に用いる土留機材用設置具１であって、リング部２ｐ…を順次連結して構成した所定長さのチェーン２を備えるとともに、土留機材２０に係止して当該土留機材２０を支持する土留機材支持部３ｓ、及びこの土留機材支持部３ｓに一体に設けるとともに、チェーン２における任意のリング部２ｐ（２ｐｓ）が挿入するスリット３ｃｒを有し、かつこのスリット３ｃｒに任意のリング部２ｐｓを挿入させた際に、任意のリング部２ｐｓの下に位置するリング部２ｐｄが下面３ｃｄに係止するチェーン係止部３ｃからなる把持ユニット３を備える。【選択図】  図１
2009263872.tif 000002
【特許請求の範囲】
【請求項１】
土留機材を使用現場に設置する際に用いる土留機材用設置具であって、リング部を順次連結して構成した所定長さのチェーンを備えるとともに、前記土留機材に係止して当該土留機材を支持する土留機材支持部、及びこの土留機材支持部に一体に設けるとともに、前記チェーンにおける任意のリング部が挿入するスリットを有し、かつこのスリットに前記任意のリング部を挿入させた際に、前記任意のリング部の下に位置するリング部が下面に係止するチェーン係止部からなる把持ユニットを備えてなることを特徴とする土留機材用設置具。
【請求項２】
前記土留機材は、起立した鋼矢板に付設する棒状の腹起し材であることを特徴とする請求項１記載の土留機材用設置具。
【請求項３】
前記土留機材支持部は、前記土留機材を側面から把持可能となるようにプレート材をコの字形に折曲形成することを特徴とする請求項１又は２記載の土留機材用設置具。
【請求項４】
前記チェーン係止部は、プレート材を逆Ｊ形に湾曲形成し、前記土留機材支持部の上端から上方に起立するとともに、上部に位置する湾曲部に前記スリットを形成してなることを特徴とする請求項１，２又は３記載の土留機材用設置具。
【請求項５】
前記チェーンにおける任意のリング部に挿入可能に形成し、かつ前記鋼矢板の上端に掛止可能に形成したＳ形の掛止部材を備えることを特徴とする請求項２記載の土留機材用設置具。
【発明の詳細な説明】
【技術分野】
【０００１】
本発明は、腹起し材等の土留機材を使用現場に設置する際に用いて好適な土留機材用設置具に関する。
【背景技術】
【０００２】
一般に、配管等を地中に埋設する際には、地面を掘削して立坑を設けるとともに、この立坑の壁面に土留機材を設置して壁崩れを防止している。
【０００３】
従来、このような壁崩れを防止する土留機材としては、特許文献１で開示される鋼矢板設置構造で用いる土留機材が知られており、同文献１には、地面に立坑を掘削した後、左右の壁面に、起立した鋼矢板を設置するとともに、さらに、この鋼矢板に対して水平方向に沿った角棒状の腹起し材をあてがい、左右の腹起し材間に倒れ防止部材を横架（介在）することにより鋼矢板を保持する鋼矢板設置構造が開示されている。
【特許文献１】特開平１０−１８３６２３号公報
【発明の開示】
【発明が解決しようとする課題】
【０００４】
しかし、上述した土留機材、特に、腹起し材を人的作業により使用現場に設置する場合、次のような問題点があった。
【０００５】
第一に、腹起し材は、所定の高さに設置するため、倒れ防止部材により正規に固定するまでは、通常、一時的にチェーンを使用して所定の高さに吊り下げている。この場合、チェーンの上端に設けたフックを鋼矢板の上端に掛止するとともに、鋼矢板の上端から吊り下げたチェーンを棒状の腹起し材に巻き付け、この後、巻き付けたチェーン間を所定の固定具により固定している。したがって、作業者は、通常、１０〜３０〔ｋｇ〕程度の重量の大きい腹起し材を持ち上げた状態で一連の作業を行う必要があり、大変な労力と時間が費やされる。
【０００６】
第二に、腹起し材に巻き付ける必要があるため、その分長いチェーンを使用する必要がある。したがって、チェーンが必要以上に重くなり作業の負担が大きくなるとともに、腹起し材を鋼矢板の下側位置に付設する場合には、チェーンの下端側が立坑の地面上に当たり、雨水が溜まっているときなどは、チェーンにおける腹起し材に巻き付ける部位や固定具により固定する部位が泥により汚れてしまう不具合を招く。
【０００７】
本発明は、このような背景技術に存在する課題を解決した土留機材用設置具の提供を目的とするものである。
【課題を解決するための手段】
【０００８】
本発明は、上述した課題を解決するため、土留機材２０を使用現場Ａに設置する際に用いる土留機材用設置具１であって、リング部２ｐ…を順次連結して構成した所定長さのチェーン２を備えるとともに、土留機材２０に係止して当該土留機材２０を支持する土留機材支持部３ｓ、及びこの土留機材支持部３ｓに一体に設けるとともに、チェーン２における任意のリング部２ｐ（２ｐｓ）が挿入するスリット３ｃｒを有し、かつこのスリット３ｃｒに任意のリング部２ｐｓを挿入させた際に、任意のリング部２ｐｓの下に位置するリング部２ｐｄが下面３ｃｄに係止するチェーン係止部３ｃからなる把持ユニット３を備えてなることを特徴とする。
【０００９】
この場合、発明の好適な態様により、土留機材２０には、起立した鋼矢板３０に付設する棒状の腹起し材２０ｂを適用することができる。また、土留機材支持部３ｓは、土留機材２０（２０ｂ）を側面から把持可能となるようにプレート材Ｐｓをコの字形に折曲形成することができる。さらに、チェーン係止部３ｃは、プレート材Ｐｃを逆Ｊ形に湾曲形成し、土留機材支持部３ｓの上端から上方に起立するとともに、上部に位置する湾曲部Ｐｃｒにスリット３ｃｒを形成することができる。一方、土留機材用設置具１には、チェーン２における任意のリング部２ｐ…に挿入可能に形成し、かつ鋼矢板３０の上端３０ｕに掛止可能に形成したＳ形の掛止部材４を含めることができる。
【発明の効果】
【００１０】
このような構成を有する本発明に係る土留機材用設置具１によれば、次のような顕著な効果を奏する。
【００１１】
（１）  土留機材２０に係止して当該土留機材２０を支持する土留機材支持部３ｓ、及びこの土留機材支持部３ｓに一体に設けるとともに、チェーン２における任意のリング部２ｐ（２ｐｓ）が挿入するスリット３ｃｒを有し、かつこのスリット３ｃｒに任意のリング部２ｐｓを挿入させた際に、任意のリング部２ｐｓの下に位置するリング部２ｐｄが下面３ｃｄに係止するチェーン係止部３ｃからなる把持ユニット３を備えるため、重量の大きい土留機材２０を設置する場合であっても、作業者は一人で容易に設置でき、設置作業における労力の大幅な軽減と設置に伴う作業時間の短縮を図ることができる。
【００１２】
（２）  リング部２ｐ…を順次連結して構成した所定長さのチェーン２を備えるとともに、チェーン２における任意のリング部２ｐ（２ｐｓ）が挿入するスリット３ｃｒを有し、かつこのスリット３ｃｒに任意のリング部２ｐｓを挿入させた際に、任意のリング部２ｐｓの下に位置するリング部２ｐｄが下面３ｃｄに係止するチェーン係止部３ｃを有する把持ユニット３を備えるため、設置作業時であっても、チェーン２の下端側が立坑の地面上に当接することがなくなる。この結果、チェーン２の下部が泥により汚れてしまうなどの不具合を回避できる。
【００１３】
（３）  好適な態様により、土留機材２０として、起立した鋼矢板３０に付設する棒状の腹起し材２０ｂを適用すれば、通常、１０〜３０〔ｋｇ〕程度となる比較的重量の大きい腹起し材２０ｂであっても、作業者は、一人で容易に設置できるとともに、腹起し材２０ｂを設置する際における労力の大幅な軽減と設置に伴う作業時間の短縮を図ることができる。
【００１４】
（４）  好適な態様により、土留機材支持部３ｓを、土留機材２０（２０ｂ）を側面から把持可能となるようにプレート材Ｐｓをコの字形に折曲形成すれば、土留機材支持部３ｓを構成するに際し、簡易な構成（形状）により容易に実施することができる。
【００１５】
（５）  好適な態様により、チェーン係止部３ｃを、プレート材Ｐｃを逆Ｊ形に湾曲形成し、土留機材支持部３ｓの上端から上方に起立するとともに、上部に位置する湾曲部Ｐｃｒにスリット３ｃｒを形成すれば、チェーン係止部３ｃを構成するに際し、簡易な構成（形状）により容易に実施することができる。
【００１６】
（６）  好適な態様により、チェーン２における任意のリング部２ｐ…に挿入可能に形成し、かつ鋼矢板３０の上端３０ｕに掛止可能に形成したＳ形の掛止部材４を用いれば、掛止部材４に対してチェーン２における任意のリング部２ｐを掛止できるため、使用するチェーン２の長さを任意に設定することができる。
【発明を実施するための最良の形態】
【００１７】
次に、本発明に係る最良の実施形態を挙げ、図面に基づき詳細に説明する。
【００１８】
まず、本実施形態に係る土留機材用設置具１の構成について、図１〜図４を参照して説明する。
【００１９】
本実施形態に係る土留機材用設置具１は、チェーン２，把持ユニット３及び掛止部材４を備え、これらをセットとして構成する。チェーン２は、図２に示すように、小判形のリングに形成したリング部２ｐ…を順次連結して構成する。したがって、このチェーン２には、スチール或いはステンレス等を用いた公知の金属製チェーンを用いることができる。なお、チェーン２は、使用現場に対応した所定長さのものを予め用意する。
【００２０】
また、把持ユニット３は、図３及び図４に示すように、下部の土留機材支持部３ｓと上部のチェーン係止部３ｃにより一体構成する。なお、土留機材支持部３ｓにより支持する土留機材２０は腹起し材２０ｂである。例示の腹起し材２０ｂは、棒状、具体的には、断面が矩形となる角パイプ状に形成されている。したがって、土留機材支持部３ｓは、腹起し材２０ｂに係止して当該腹起し材２０ｂを支持する機能を有し、具体的には、図３に示すように、腹起し材２０ｂを側面から把持可能となるようにスチール或いはステンレス等を用いた金属製のプレート材Ｐｓをコの字形に折曲形成して構成する。このように、土留機材支持部３ｓを、腹起し材２０ｂを側面から把持するコの字形に形成すれば、土留機材支持部３ｓを構成するに際し、簡易な構成（形状）により容易に実施できる利点がある。一方、チェーン係止部３ｃは、プレート材Ｐｃを逆Ｊ形に湾曲形成して構成する。したがって、チェーン係止部３ｃは、上部に湾曲部Ｐｃｒを有するとともに、下部に垂直部Ｐｃｖを有する。さらに、湾曲部Ｐｃｒには、先端部Ｐｃｒｓの中央位置から長手方向に沿ってスリット３ｃｒを形成する。このスリット３ｃｒは、図４に示すように、チェーン２における任意のリング部２ｐ（２ｐｓ）が挿入可能となり、かつこのスリット３ｃｒに任意のリング部２ｐｓが挿入した際に、任意のリング部２ｐｓの下に位置するリング部２ｐｄが湾曲部Ｐｃｒの下面３ｃｄに係止可能となるように形成する。このように、チェーン係止部３ｃを、プレート材Ｐｃを逆Ｊ形に湾曲形成するとともに、上部に位置する湾曲部Ｐｃｒにスリット３ｃｒを形成すれば、チェーン係止部３ｃを構成するに際し、簡易な構成（形状）により容易に実施できる利点がある。
【００２１】
そして、図３に示すように、土留機材支持部３ｓの上端に、チェーン係止部３ｃの下端を溶接等により固定する。符号Ｃは溶接部を示す。これにより、チェーン係止部３ｃは、土留機材支持部３ｓの上端から上方に起立し、垂直部Ｐｃｖは、土留機材支持部３ｓの上面に対して直角になる。この場合、土留機材支持部３ｓに対するチェーン係止部３ｃの位置は、特に、バランスを考慮し、土留機材支持部３ｓにより腹起し材２０ｂを支持して吊り下げた際に、垂直部Ｐｃｖがほぼ鉛直に位置するように考慮する。
【００２２】
他方、掛止部材４は、図２に示すように、スチール或いはステンレス等を用いた金属材によりＳ形に形成し、上部が上フック部４ｕ、下部が下フック部４ｄとなる。この掛止部材４は、チェーン２における任意のリング部２ｐ…に挿入可能に形成し、かつ鋼矢板３０の上端に掛止可能に形成する。このように、チェーン２から分離したＳ形の掛止部材４を用いれば、掛止部材４に対してチェーン２における任意のリング部２ｐを掛止できるため、使用するチェーン２の長さを任意に設定できる利点がある。
【００２３】
なお、図３及び図４に示した把持ユニット３は、土留機材支持部３ｓとチェーン係止部３ｃを別体に構成し、溶接等により結合して構成したが、図５（ａ），（ｂ）に示すように、把持ユニット３を構成するに際し、土留機材支持部３ｓとチェーン係止部３ｃを一体に構成、即ち、一枚のプレート材Ｐｓ（Ｐｃ）により連続形成してもよい。なお、図５に示す把持ユニット３において、図３及び図４に示す把持ユニット３と同一部分（同一機能部分）には、同一符号を付して、その構成を明確にするとともに、その詳細な説明は省略する。
【００２４】
次に、本実施形態に係る土留機材用設置具１の使用方法について、図１〜図７を参照して説明する。
【００２５】
図１，図６及び図７中、Ｈは、地面に掘削した立坑を示す。まず、立坑Ｈ内の左右の壁面に鋼矢板３０…を起立させて設置する。この際、鋼矢板３０は、クレーン等により壁面に重ねて設置する。なお、図６及び図７は、立坑Ｈ内の左側の壁面を示す。また、土留機材用設置具１は四つ（四組）用意する。
【００２６】
一方、作業者は、Ｓ形の掛止部材４の下フック部４ｄに、チェーン２における任意のリング部２ｐを掛けるとともに、掛止部材４の上フック部４ｕを、左側（一方側）の鋼矢板３０の上端３０ｕに掛ける。これにより、鋼矢板３０の上端３０ｕからチェーン２を吊り下げることができるとともに、上端３０ｕから吊り下げるチェーン２の長さを設定することができる。図２に、鋼矢板３０の上端３０ｕに上フック部４ｕを掛けた状態を示すとともに、図１には、鋼矢板３０の上端３０ｕに掛止部材４の上フック部４ｕを掛けるとともに、この掛止部材４の下フック部４ｄにチェーン２における任意のリング部２ｐを掛けた状態を示している。また、図６は、チェーン２を鋼矢板３０の上端３０ｕから吊り下げる際における全体の様子を示している。
【００２７】
次いで、作業者は、立坑Ｈ内に運び入れた腹起し材２０ｂの一端側を、鋼矢板３０に付設する高さまで持ち上げ、把持ユニット３の土留機材支持部３ｓを、腹起し材２０ｂの側面（横）側から装着するとともに、吊り下がっているチェーン２における同じ高さの位置にある任意のリング部２ｐ（２ｐｓ）をチェーン係止部３ｃのスリット３ｃｒに挿入する。そして、この状態で腹起し材２０ｂを下方へ変位させれば、任意のリング部２ｐｓの下に位置するリング部２ｐｄがチェーン係止部３ｃの下面３ｃｄ、即ち、湾曲部Ｐｃｒの下面３ｃｄに係止するため、作業者が腹起し材２０ｂから手を離しても、腹起し材２０ｂは、把持ユニット３及びチェーン２により所定の高さに支持される。この状態を図１に示すとともに、任意のリング部２ｐ（２ｐｓ）をチェーン係止部３ｃのスリット３ｃｒに挿入した際に、任意のリング部２ｐｓの下に位置するリング部２ｐｄが湾曲部Ｐｃｒの下面３ｃｄに係止した状態を図３及び図４に示す。また、図７は、把持ユニット３を腹起し材２０ｂ及びチェーン２に装着する際における全体の様子を示している。
【００２８】
以上により、一つの土留機材用設置具１を用いて腹起し材２０ｂの一端側を支持する際の作業が終了する。次いで、同様の作業により、他の土留機材用設置具１を用いて、腹起し材２０ｂの他端側を支持する。これにより、腹起し材２０ｂを二つ（二組）の土留機材用設置具１，１を用いて略水平に吊り下げることができる。この状態を図１に示す。次いで、右側（他方側）の鋼矢板３０に対しても同様の作業を行い、他の二つ（二組）の土留機材用設置具１，１を用いて腹起し材２０ｂを吊り下げる。これらの作業が終了したなら、この状態において複数のサポート４０…を設置する。即ち、図１に示すような伸縮可能な複数のサポート４０…を用意し、各サポート４０…を左右に配した腹起し材２０ｂ，２０ｂ間に介在させるとともに、各サポート４０…を伸張させた状態で固定する。この状態を図１に示す。これにより、土留機材用設置具１…を用いて腹起し材２０ｂ（土留機材２０）を使用現場Ａに設置することができる。そして、以上の一連の作業が終了したなら、各土留機材用設置具１…を鋼矢板３０…及び腹起し材２０ｂ…から取り外せばよい。
【００２９】
よって、このような本実施形態に係る土留機材用設置具１によれば、腹起し材２０ｂに係止して当該腹起し材２０ｂを支持する土留機材支持部３ｓ、及びこの土留機材支持部３ｓに一体に設けるとともに、チェーン２における任意のリング部２ｐ（２ｐｓ）が挿入するスリット３ｃｒを有し、かつこのスリット３ｃｒに任意のリング部２ｐｓを挿入させた際に、任意のリング部２ｐｓの下に位置するリング部２ｐｄが下面３ｃｄに係止するチェーン係止部３ｃからなる把持ユニット３を備えるため、通常、１０〜３０〔ｋｇ〕程度となる比較的重量の大きい腹起し材２０ｂを設置する場合であっても、作業者は一人で容易に設置することができ、腹起し材２０ｂを設置する際の作業労力の大幅な軽減と設置に伴う作業時間の短縮を図ることができる。また、リング部２ｐ…を順次連結して構成した所定長さのチェーン２を備えるとともに、チェーン２における任意のリング部２ｐ（２ｐｓ）が挿入するスリット３ｃｒを有し、かつこのスリット３ｃｒに任意のリング部２ｐｓを挿入させた際に、任意のリング部２ｐｓの下に位置するリング部２ｐｄが下面３ｃｄに係止するチェーン係止部３ｃを有する把持ユニット３を備えるため、設置作業時であっても、チェーン２の下端側が立坑の地面上に当接することがなくなる。この結果、チェーン２の下部が泥により汚れてしまうなどの不具合を回避できる。
【００３０】
以上、最良の実施形態について詳細に説明したが、本発明は、このような実施形態に限定されるものではなく、細部の構成，形状，素材，数量等において、本発明の要旨を逸脱しない範囲で、任意に変更，追加，削除することができる。
【００３１】
例えば、土留機材２０として腹起し材２０ｂを例示したが、類似の用途に用いる他の土留機材２０であっても同様に適用できる。また、土留機材支持部３ｓとして、土留機材２０（２０ｂ）を側面から把持可能となるようにプレート材Ｐｓをコの字形に折曲形成した場合を例示したが、土留機材２０に係止して当該土留機材２０を支持する機能を有すれば、他の形状又は構成を用いたものであってもよい。同様に、チェーン係止部３ｃとして、プレート材Ｐｃを逆Ｊ形に湾曲形成し、土留機材支持部３ｓの上端から上方に起立するとともに、上部に位置する湾曲部Ｐｃｒに先端部Ｐｃｒｓからスリット３ｃｒを形成した場合を例示したが、チェーン２における任意のリング部２ｐ（２ｐｓ）が挿入するスリット３ｃｒを有し、かつこのスリット３ｃｒに任意のリング部２ｐｓを挿入させた際に、任意のリング部２ｐｓの下に位置するリング部２ｐｄが下面３ｃｄに係止する機能を有すれば、他の形状又は構成を用いたものであってもよい。さらに、Ｓ形の掛止部材４は、必ずしも用いることを要せず、チェーン２の一端を鋼矢板３０の上端３０ｕに固定できるものであれば、その種類（形態）は問わない。
【図面の簡単な説明】
【００３２】
【図１】本発明の最良の実施形態に係る土留機材用設置具の一部抽出拡大図を含む使用状態を示す使用説明図、
【図２】同土留機材用設置具に備える掛止部材及びチェーンの構成図、
【図３】同土留機材用設置具に備える把持ユニットの一部断面正面図、
【図４】同土留機材用設置具に備える把持ユニットにより腹起し材を把持した状態を示す側面図、
【図５】同土留機材用設置具に備える把持ユニットの変更例を示す（ａ）正面図及び（ｂ）側面図、
【図６】同土留機材用設置具の使用説明図、
【図７】同土留機材用設置具の使用説明図、
【符号の説明】
【００３３】
１：土留機材用設置具，２：チェーン，２ｐ…：リング部，２ｐｓ：任意のリング部，２ｐｄ：任意のリング部の下に位置するリング部，３：把持ユニット，３ｓ：土留機材支持部，３ｃ：チェーン係止部，３ｃｒ：スリット，３ｃｄ：チェーン係止部の下面，４：掛止部材，２０：土留機材，２０ｂ：腹起し材，３０：鋼矢板，３０ｕ：鋼矢板の上端，Ａ：使用現場，Ｐｓ：プレート材，Ｐｃ：プレート材，Ｐｃｒ：湾曲部
【図１】
2009263872.tif 000003
【図２】
2009263872.tif 000004
【図３】
2009263872.tif 000005
【図４】
2009263872.tif 000006
【図５】
2009263872.tif 000007
【図６】
2009263872.tif 000008
【図７】
2009263872.tif 000009